(57)【要約】【課題】  紐やホックと同様の閉止固定の効果が得られ、開閉が容易で、かつ、壊れ難い包装用箱を提供する。【解決手段】  本体に対して開閉自在に連結部を介して第１および第２の蓋部材が取付けられ、かつ、前記本体と前記第１，２の蓋部材との開口面を突き合わせることで前記本体の開口部が覆われ、さらに、前記第２の蓋部材には前記第１の蓋部材の一部を覆う装飾片が形成された包装用箱において、前記第１の蓋部材にマグネットを取付け、また、前記第２の蓋部材の装飾片に補強を兼ねる磁性板を取付け、前記マグネットの磁力により前記磁性板を吸着させることで前記本体と前記第１，２の蓋部材とを閉止固定する。【選択図】図１
0003104295.tif 000002
【実用新案登録請求の範囲】
【請求項１】
本体に対して開閉自在に連結部を介して第１および第２の蓋部材が取付けられ、かつ、前記本体と前記第１，２の蓋部材との開口面を突き合わせることで前記本体の開口部が覆われ、さらに、前記第２の蓋部材には前記第１の蓋部材の一部を覆う装飾片が形成された包装用箱において、
前記第１の蓋部材にマグネットを取付け、また、前記第２の蓋部材の装飾片に補強を兼ねる磁性板を取付け、前記マグネットの磁力により前記磁性板を吸着させることで前記本体と前記第１，２の蓋部材とを閉止固定することを特徴とする包装用箱。
【請求項２】
前記第１の蓋部材に取付けられるマグネットは、該第１の蓋部材に開口された孔内に嵌合固定されていることを特徴とする請求項１記載の包装用箱。
【請求項３】
前記第１の蓋部材のマグネットが複数個であることを特徴とする請求項１記載の包装用箱。
【考案の詳細な説明】
【技術分野】
【０００１】
本考案は、任意の物品を収納する包装用箱に関し、詳しくは、本体と第１および第２の蓋部材とからなり、本体と第１および２の蓋部材との開口面を突き合わせることで本体の開口部を覆うことができる包装用箱の改良に関するものである。
【背景技術】
【０００２】
従来から用いられている包装用箱の中には、内部に眼鏡や装身具等を収納する本体と、この本体に対して開閉自在に連結部を介して取付けられる第１および第２の蓋部材とからなるものがある。
このような包装用箱は、本体と第１および２の蓋部材との開口面を突き合わせることで本体の開口部を覆い、第１，２の蓋部材が突き合わさる開口面の近傍に紐やホック等の固定手段により、本体と第１および第２の蓋部材とを閉止固定することができるようになっている。
【考案の開示】
【考案が解決しようとする課題】
【０００３】
しかしながら、上記のような構成からなる包装用箱は以下のような問題があった。
本体と第１および第２の蓋部材とを閉止固定する固定手段として、紐を用いた場合には、蓋部材の開閉が非常に煩雑となるという問題があった。一方、ホックを用いた場合には、ホックが壊れてしまうと本体と第１および第２の蓋部材とを閉止固定できなくなるという問題があった。
また、開閉時に負荷のかかる第２の蓋部材が開閉頻度が多くなるにつれ、変形、破損するといった問題があった。
【０００４】
そこで、本考案は、紐やホック等と同様の閉止固定の効果が得られ、開閉が容易で、かつ、開閉頻度が頻度が多くなっても、蓋部材が変形、破損することのない、壊れ難い包装用箱を提供することを目的とする。
【課題を解決するための手段】
【０００５】
本考案は、本体に対して開閉自在に連結部を介して第１および第２の蓋部材が取付けられ、かつ、前記本体と前記第１，２の蓋部材との開口面を突き合わせることで前記本体の開口部が覆われ、さらに、前記第２の蓋部材には前記第１の蓋部材の一部を覆う装飾片が形成された包装用箱において、前記第１の蓋部材にマグネットを取付け、また、前記第２の蓋部材の装飾片に補強を兼ねる磁性板を取付け、前記マグネットの磁力により前記磁性板を吸着させることで前記本体と前記第１，２の蓋部材とを閉止固定することを主要な特徴とする。
【０００６】
また、前記第１の蓋部材に取付けられるマグネットは、該第１の蓋部材に開口された孔内に嵌合固定されていることが好ましい。また、長尺のものにあっては蓋部材のマグネットが複数個であることが望ましい。
【考案の効果】
【０００７】
本考案に係る包装用箱は、以上のような解決手段により、紐やホック等と同様の閉止固定の効果が得られると共に、開閉が容易で、かつ、蓋部材が壊れ難いという効果が得られる。
【考案を実施するための最良の形態】
【０００８】
以下、本考案を実施するための最良の形態について説明する。
ここで、図１は本考案に係る包装用箱の概略説明図、図２は本考案に係る包装用箱の本体に対して蓋部材を開いた状態を示す斜視図、図３は本考案に係る包装用箱の本体に蓋部材を閉止固定する状態を示す斜視図、図４は図３のＡ−Ａ断面図である。
【０００９】
図において、１は本考案に係る包装用箱を示し、この包装用箱１は本体２と、第１の蓋部材３と、第２の蓋部材４とから構成されている。
前記本体２は、側壁２１と、底部２２とからなり、眼鏡や装身具等を収納できるように構成されている。
【００１０】
一方、第１の蓋部材３は、断面形状がＬ字状をなし、側壁部３１と、頂部３２とから構成されている。また、第２の蓋部材４は、第１の蓋部材３と基本構成は同じであって、断面形状がＬ字状をなし、側壁部４１と、頂部４２とから構成されている。
尚、本体２と第１および第２の蓋部材３，４の材質には特に限定はなく、厚紙やプラスチック等の包装用箱として一般的に用いられる材料であれば良い。
【００１１】
また、本体２と第１および第２の蓋部材３，４の表面には皮革、合成皮革、布、紙等の装飾シート５が貼り付けられている。
そして、この装飾シート５により、本体２と第１の蓋部材３とが側壁２１，３１の一辺２１ａ，３１ａにおいて連結部が形成され、また、本体２と第２の蓋部材４とが側壁２１，４１の一辺２１ｂ，４１ａにおいて連結部が形成されている。これらの連結部によって、第１および第２の蓋部材３，４が本体２に対して開閉可能となっている。
【００１２】
さらに、第１の蓋部材３の頂部３２の一辺３２ａの近傍には、孔３２ｂが開口されている。そして、この孔３２ｂにマグネット６が接着剤等により嵌合固定されている。
【００１３】
また、第２の蓋部材４の頂部４２の一辺４２ａには、第１の蓋部材３の一部、言い換えると、第１の蓋部材３の頂部３２の孔３２ｂを覆うように装飾片４２ｂが形成されている。この装飾片４２ｂには、補強を兼ねる鉄板で形成された磁性板７が接着剤等により取付けられている。
なお、装飾片４２ｂは、本体２、第１および第２の蓋部材３，４と同一材料から形成されている。
【００１４】
さらにまた、装飾片４２ｂの両角部には装飾効果を兼ねる金属製の補強材８が取付けられている。
【００１５】
このような構成からなる包装用箱を用いた場合、本体２と第１および２の蓋部材３，４との開口面を突き合わせて本体２の開口部を覆うことにより、第２の蓋部材４に形成した装飾片４２ｂが第１の蓋部材３の頂部３２の一部を覆う。これにより、第１の蓋部材３に設けられるマグネット６の磁力によって、第２の蓋部材４の装飾片に設けられる鉄板が吸着され、本体２と前記第１，２の蓋部材３，４とを閉止固定することができる。
【００１６】
このため、紐やホックと同様の閉止固定の効果が得られると共に、開閉が容易で、かつ、開閉頻度が頻度が多くなっても、蓋部材が変形、破損することのなく壊れ難いという効果が得られる。
【産業上の利用可能性】
【００１７】
本考案に係る包装用箱は、眼鏡、装身具等に用いられる旨を記載したが、これに何ら限定することなく、他の包装用箱の用途にも適用できる。
【図面の簡単な説明】
【００１８】
【図１】本考案に係る包装用箱の概略説明図である。
【図２】本考案に係る包装用箱の蓋部材を開いた状態を示す斜視図である。
【図３】本考案に係る包装用箱の本体に蓋部材を閉止固定した状態を示す斜視図である。
【図４】図４は図３のＡ−Ａ断面図である。
【符号の説明】
【００１９】
１    包装用箱
２    本体
２１  側壁
２１ａ  側壁の一辺
２１ｂ  側壁の一辺
２２  底部
３    第１の蓋部材
３１  側壁
３１ａ  側壁の一辺
３２  頂部
３２ａ  頂部の一辺
３２ｃ  孔
４    第２の蓋部材
４１  側壁
４１ａ  側壁の一辺
４２  頂部
４２ａ  頂部の一辺
４２ｂ  装飾片
５    装飾シート
６    マグネット
７    磁性板
８    補強材
【図１】
0003104295.tif 000003
【図２】
0003104295.tif 000004
【図３】
0003104295.tif 000005
【図４】
0003104295.tif 000006